(57)【要約】【課題】無線通信装置のアンテナ特性の劣化を低減し、かつ、無線特性を高精度に測定できるようにする。【解決手段】無線通信装置の受け側コネクタは、差込側コネクタを挿入されていない状態でアンテナと無線回路とを電気的に接続し、差込側コネクタを挿入された状態でアンテナと無線回路とを電気的に切断する、無線回路と電気的に接続されたスイッチ部と、無線回路のグラウンドと電気的に分離して配置されたセル部と、を具備する。差込側コネクタは、受け側コネクタに挿入された状態で、スイッチ部に接して無線回路と同軸ケーブルとを電気的に接続し、かつ、スイッチ部の状態を、アンテナと無線回路とを電気的に切断する状態にする、同軸ケーブルに接続されたプローブと、プローブが受け側コネクタに挿入された状態で、無線回路のグラウンドに接してグラウンドとセル部とを電気的に接続するグラウンド接続端子と、を具備する。【選択図】図７
2015115853.tif 000002
【特許請求の範囲】
【請求項１】
無線通信装置と、差込側コネクタとを具備し、
前記無線通信装置は、
アンテナと、
無線回路と、
受け側コネクタと、
を具備し、
前記受け側コネクタは、
前記差込側コネクタを挿入されていない状態で前記アンテナと前記無線回路とを電気的に接続し、前記差込側コネクタを挿入された状態で前記アンテナと前記無線回路とを電気的に切断する、前記無線回路と電気的に接続されたスイッチ部と、
前記無線回路のグラウンドと電気的に分離して配置されたセル部と、
を具備し、
前記差込側コネクタは、
前記受け側コネクタに挿入された状態で、前記スイッチ部に接して前記無線回路と同軸ケーブルとを電気的に接続し、かつ、前記スイッチ部の状態を、前記アンテナと前記無線回路とを電気的に切断する状態にする、前記同軸ケーブルに接続されたプローブと、
前記プローブが前記受け側コネクタに挿入された状態で、前記無線回路のグラウンドに接して当該グラウンドと前記セル部とを電気的に接続するグラウンド接続端子と、
を具備する無線通信装置システム。
【請求項２】
前記グラウンド接続端子は、前記プローブとの距離を可変に設けられている、請求項１に記載の無線通信装置システム。
【請求項３】
前記無線通信装置は、複数に分割され一部を前記無線回路のグラウンドに電気的に接続されたグラウンド接続用ランドを具備し、
前記グラウンド接続端子は、前記プローブが前記受け側コネクタに挿入された状態で、前記グラウンド接続用ランドの、前記無線回路のグラウンドに電気的に接続された部分を含む複数の部分に接する、
請求項１または請求項２に記載の無線通信装置システム。
【請求項４】
アンテナと、
無線回路と、
受け側コネクタと、
を具備し、
前記受け側コネクタは、
差込側コネクタを挿入されていない状態で前記アンテナと前記無線回路とを電気的に接続し、前記差込側コネクタを挿入された状態で前記アンテナと前記無線回路とを電気的に切断する、前記無線回路と電気的に接続されたスイッチ部と、
前記無線回路のグラウンドと電気的に分離して配置されたセル部と、
を具備する無線通信装置。
【請求項５】
差込側コネクタを挿入されていない状態でアンテナと無線回路とを電気的に接続し、前記差込側コネクタを挿入された状態で前記アンテナと前記無線回路とを電気的に切断する、前記無線回路と電気的に接続されたスイッチ部と、前記無線回路のグラウンドと電気的に分離して配置されたセル部と、を具備する受け側コネクタに挿入された状態で、前記スイッチ部に接して前記無線回路と同軸ケーブルとを電気的に接続し、かつ、前記スイッチ部の状態を、前記アンテナと前記無線回路とを電気的に切断する状態にする、前記同軸ケーブルに接続されたプローブと、
前記プローブが前記受け側コネクタに挿入された状態で、前記無線回路のグラウンドに接して当該グラウンドと前記セル部とを電気的に接続するグラウンド接続端子と、
を具備する差込側コネクタ。
【請求項６】
差込側コネクタを挿入されていない状態でアンテナと無線回路とを電気的に接続し、前記差込側コネクタを挿入された状態で前記アンテナと前記無線回路とを電気的に切断する、前記無線回路と電気的に接続されたスイッチ部と、前記無線回路のグラウンドと電気的に分離して配置されたセル部とを具備する受け側コネクタに、
前記セル部と前記無線回路のグラウンドとを電気的に接続し、かつ、同軸ケーブルを接続された前記差込側コネクタを挿入することで、
前記無線回路と前記同軸ケーブルとを電気的に接続し、前記セル部と前記無線回路のグランドとを電気的に接続し、かつ、前記アンテナと無線回路とを電気的に切断する、無線特性測定方法。
【発明の詳細な説明】
【技術分野】
【０００１】
本発明は、無線通信装置システム、無線通信装置、差込側コネクタおよび無線特性測定方法に関する。
【背景技術】
【０００２】
携帯電話機やスマートフォン（Smartphone）などの携帯無線機において、製造メーカにて無線特性を確認するためにＲＦコネクタを実装しているものが多い。このＲＦコネクタは、アンテナと無線回路の間に実装され、専用のコネクタ付同軸ケーブルの挿入を受けて無線機の送信電力や受信感度の測定に用いられる。特に、かかるＲＦコネクタとして、コネクタ付同軸ケーブルの挿入を受けて無線回路とアンテナとを電気的に切断するものが用いられることが多い。これにより、無線回路の特性をより高精度に測定することができる。
【０００３】
このような、無線回路とアンテナとの電気的な接続／切断を切り替えるＲＦコネクタに関連して幾つかの技術が提案されている。例えば、特許文献１には、接続された同軸プラグによる押圧力を切替端子を介して一対のコンタクトの一方に加えることにより、これらコンタクトの接触を解除させかつ一方のコンタクトを切替端子を介して同軸プラグ側のコンタクトに導通させる切替スイッチ付き同軸コネクタにおいて、前記切替端子を前記一対のコンタクトの接点接触を解除する方向に付勢する弾性体を皿バネまたは板バネで構成することが記載されている。
特許文献１では、これにより、低背化を図り、組み立てを容易とし、部品点数を削減する、とされている。
【先行技術文献】
【特許文献】
【０００４】
【特許文献１】特開２００１−１８５２９６号公報
【発明の概要】
【発明が解決しようとする課題】
【０００５】
ＲＦコネクタを設置する際、当該コネクタのセル部分をグラウンド（Ground；ＧＮＤ）に接続することが望まれる。一方、アンテナ特性は、アンテナの周辺条件に大きく影響を受けることが知られており、アンテナにグラウンドが近づくと放射抵抗が小さくなり、アンテナ特性が劣化してしまう。
特に、上記のようにＲＦコネクタがアンテナと無線回路の間に実装される場合、アンテナの給電点近くに実装されることが考えられる。この場合、高周波電流が大きい場所にグラウンド接続されたＲＦコネクタが実装され、ＲＦコネクタに逆相の高周波電流が流れることとなり、アンテナ特性が劣化してしまう。
【０００６】
かかるアンテナ特性の劣化を回避するために、アンテナと無線回路とを離すことで、ＲＦコネクタをアンテナから離すことも考えられるが、通過ロスが増えてしまう。さらには、携帯無線機の多機能化に伴うアンテナ数の増加や携帯無線機の小型化により、各部の配置の自由度が制限される。このため、ＲＦコネクタとアンテナとの間に充分な距離を取れない場合が考えられる。
また、特許文献１には、セル部分をグラウンド接続されたＲＦコネクタをアンテナ付近に配置することによるアンテナ特性の劣化に対する対策については記載されていない。
【０００７】
本発明は、上述の課題を解決することのできる無線通信装置システム、無線通信装置、差込側コネクタおよび無線特性測定方法を提供することを目的としている。
【課題を解決するための手段】
【０００８】
この発明は上述した課題を解決するためになされたもので、本発明の第１の態様による無線通信装置システムは、無線通信装置と、差込側コネクタとを具備し、前記無線通信装置は、アンテナと、無線回路と、受け側コネクタと、を具備し、前記受け側コネクタは、前記差込側コネクタを挿入されていない状態で前記アンテナと前記無線回路とを電気的に接続し、前記差込側コネクタを挿入された状態で前記アンテナと前記無線回路とを電気的に切断する、前記無線回路と電気的に接続されたスイッチ部と、前記無線回路のグラウンドと電気的に分離して配置されたセル部と、を具備し、前記差込側コネクタは、前記受け側コネクタに挿入された状態で、前記スイッチ部に接して前記無線回路と同軸ケーブルとを電気的に接続し、かつ、前記スイッチ部の状態を、前記アンテナと前記無線回路とを電気的に切断する状態にする、前記同軸ケーブルに接続されたプローブと、前記プローブが前記受け側コネクタに挿入された状態で、前記無線回路のグラウンドに接して当該グラウンドと前記セル部とを電気的に接続するグラウンド接続端子と、を具備する。
【０００９】
また、本発明の第２の態様による無線通信装置は、アンテナと、無線回路と、受け側コネクタと、を具備し、前記受け側コネクタは、差込側コネクタを挿入されていない状態で前記アンテナと前記無線回路とを電気的に接続し、前記差込側コネクタを挿入された状態で前記アンテナと前記無線回路とを電気的に切断する、前記無線回路と電気的に接続されたスイッチ部と、前記無線回路のグラウンドと電気的に分離して配置されたセル部と、を具備する。
【００１０】
また、本発明の第３の態様による差込側コネクタは、差込側コネクタを挿入されていない状態でアンテナと無線回路とを電気的に接続し、前記差込側コネクタを挿入された状態で前記アンテナと前記無線回路とを電気的に切断する、前記無線回路と電気的に接続されたスイッチ部と、前記無線回路のグラウンドと電気的に分離して配置されたセル部と、を具備する受け側コネクタに挿入された状態で、前記スイッチ部に接して前記無線回路と同軸ケーブルとを電気的に接続し、かつ、前記スイッチ部の状態を、前記アンテナと前記無線回路とを電気的に切断する状態にする、前記同軸ケーブルに接続されたプローブと、前記プローブが前記受け側コネクタに挿入された状態で、前記無線回路のグラウンドに接して当該グラウンドと前記セル部とを電気的に接続するグラウンド接続端子と、を具備する。
【００１１】
また、本発明の第４の態様による無線特性測定方法では、差込側コネクタを挿入されていない状態でアンテナと無線回路とを電気的に接続し、前記差込側コネクタを挿入された状態で前記アンテナと前記無線回路とを電気的に切断する、前記無線回路と電気的に接続されたスイッチ部と、前記無線回路のグラウンドと電気的に分離して配置されたセル部とを具備する受け側コネクタに、前記セル部と前記無線回路のグラウンドとを電気的に接続し、かつ、同軸ケーブルを接続された前記差込側コネクタを挿入することで、前記無線回路と前記同軸ケーブルとを電気的に接続し、前記セル部と前記無線回路のグランドとを電気的に接続し、かつ、前記アンテナと無線回路とを電気的に切断する。
【発明の効果】
【００１２】
本発明によれば、アンテナ特性の劣化を低減し、かつ、無線特性を高精度に測定することができる。
【図面の簡単な説明】
【００１３】
【図１】本発明の第１の実施形態における無線通信装置の内部の配置例を示す説明図である。
【図２】同実施形態における配置を基板の上方から見た例を示す説明図である。
【図３】同実施形態における無線通信装置の各部の、通常状態での接続関係の例を示す説明図である。
【図４】同実施形態における差込側コネクタの外観の例を示す概略外形図である。
【図５】同実施形態における差込側コネクタの装着例を示す説明図である。
【図６】同実施形態における無線通信装置と差込側コネクタとが接する部分の拡大例を示す説明図である。
【図７】同実施形態における無線通信装置および差込側コネクタの各部の、測定状態での接続関係の例を示す説明図である。
【図８】ＲＦコネクタのセル部がグラウンドに常時接続されている無線通信装置の内部の配置例を示す説明図である。
【図９】図８の配置を基板の上方から見た例を示す説明図である。
【図１０】本発明の第２の実施形態における差込側コネクタの外観の例を示す概略外形図である。
【図１１】本発明の第３の実施形態における無線通信装置の内部の配置を基板の上方から見た例を示す説明図である。
【図１２】同実施形態におけるグラウンド接続用ランドとグラウンド接続端子との接触位置の例を示す説明図である。
【図１３】本発明の無線通信装置の最小構成を示す説明図である。
【発明を実施するための形態】
【００１４】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
【００１５】
＜第１の実施形態＞
まず、図１〜図３を参照して、本発明の第１の実施形態における無線通信装置の各部の、通常状態での接続関係について説明する。ここでいう通常状態は、無線通信装置が無線通信機能を実行可能にするための接続関係となっている状態であり、具体的には、アンテナと無線回路とが電気的に接続された状態である。通常状態以外の状態として、測定状態について後述する。ここでいう測定状態は、無線回路の特性を測定するためにアンテナと無線回路とが電気的に切断された状態である。
【００１６】
図１は、本発明の第１の実施形態における無線通信装置の内部の配置例を示す説明図である。同図において、無線通信装置１１は、アンテナ１１１と、基板グラウンド（Ground）部１１２と、基板グラウンドなし部１１３と、給電端子１１４と、整合回路１１５と、受け側コネクタ１１６（特に、セル部１１６ａ）と、無線回路１１７と、グラウンド接続用ランド１１８とを含んで構成される。
【００１７】
なお、図１では、実装条件をわかり易く示すため、アンテナ１１１を上方に移動している。実装状態（無線通信装置１１の各部が実装された状態）において、アンテナ１１１は、給電端子１１４を介して基板グラウンドなし部１１３と電気的に接続（導通）している。また、通常状態において、アンテナ１１１は、整合回路１１５および受け側コネクタ１１６を介して、無線回路１１７と電気的に接続している。
【００１８】
図２は、図１の配置を基板の上方から見た例を示す説明図である。図２において、図１に示す各部のうち、基板グラウンド部１１２と、基板グラウンドなし部１１３と、給電端子１１４と、整合回路１１５と、受け側コネクタ１１６（特に、セル部１１６ａ）と、無線回路１１７と、グラウンド接続用ランド１１８とが示されている。
【００１９】
図３は、無線通信装置１１の各部の、通常状態での接続関係の例を示す説明図である。同図において、アンテナ１１１と無線回路１１７とが、給電端子１１４と、整合回路１１５と、受け側コネクタ１１６のスイッチ部１１６ｂと、基板グラウンド部１１２の配線および基板グラウンドなし部１１３の配線とを介して接続されている。特に、スイッチ部１１６ｂは閉状態（接続状態）となっている。
【００２０】
無線回路１１７が送信信号を生成して出力すると、当該信号はアンテナ１１１へ伝達される。アンテナ１１１は、無線回路１１７からの電気信号による送信信号を、電波にて送信する。また、アンテナ１１１が、電波を受信し、電気信号による受信信号に変換して出力すると、当該信号は無線回路１１７へ出力される。無線回路１１７は、アンテナ１１１からの受信信号に対して復調等の処理を行って、受信データを抽出する。
【００２１】
整合回路１１５は、アンテナ１１１と無線回路１１７との整合（インピーダンスマッチング）を取る。
また、基板グラウンド部１１２には、グラウンドが配線されている。当該グラウンドは、無線回路１１７のグラウンドとして用いられる。また、基板グラウンド部１１２には、当該グラウンドに接続するためのグラウンド接続用ランド１１８が設けられている。
【００２２】
また、受け側コネクタ１１６のスイッチ部１１６ｂは、同じく受け側コネクタ１１６のセル部１１６ａで囲われている。セル部１１６ａは金属で構成されているが、基板グラウンド部１１２のグラウンドとは切り離されている。セル部１１６ａがグラウンドから切り離されていることで、アンテナ１１１に対するグラウンドの影響を低減させることができる。より具体的には、セル部１１６ａがグラウンドから切り離されていることで、セル部１１６ａがグラウンドに接続されている場合との比較において、アンテナ１１１の特性劣化を低減させることができる。
【００２３】
一方、セル部１１６ａがグラウンドから切り離された状態で無線回路１１７の無線特性の測定が行われた場合、測定精度が低下してしまう。そこで、測定状態（無線特性の測定時）においては、差込側コネクタがセル部１１６ａをグラウンドに接続する。当該接続について、図４〜図７を参照して説明する。
【００２４】
図４は、差込側コネクタの外観の例を示す概略外形図である。
同図において、差込側コネクタ１２は、プローブ１２１と、グラウンド接続端子１２２と、コネクタ本体１２３とを含んで構成される。また、差込側コネクタ１２には、同軸ケーブル１２４が接続されている。
無線回路１１７（図１）の無線特性測定の際、差込側コネクタ１２は、受け側コネクタ１１６に挿入される。
【００２５】
図５は、差込側コネクタ１２の装着例を示す説明図である。同図において、無線通信装置システム１は、無線通信装置１１と、差込側コネクタ１２とを含んで構成される。また、同図には、無線通信装置１１の基板グラウンド部１１２と、基板グラウンドなし部１１３と、受け側コネクタ１１６（特に、セル部１１６ａ）と、無線回路１１７と、グラウンド接続用ランド１１８とが示されている。加えて、同図には、差込側コネクタ１２のプローブ１２１と、グラウンド接続端子１２２と、コネクタ本体１２３と、差込側コネクタ１２に接続されている同軸ケーブル１２４が示されている。
図５に示すように、プローブ１２１が受け側コネクタ１１６（セル部１１６ａ）に挿入されて、無線通信装置１１と差込側コネクタ１２とが接して導通する。
受け側コネクタ１１６は、ＲＦコネクタの受け側として機能し、差込側コネクタ１２は、ＲＦコネクタの差込側として機能する。
【００２６】
図６は、図５において無線通信装置１１と差込側コネクタ１２とが接する部分の拡大例を示す説明図である。図６において、プローブ１２１が、受け側コネクタ１１６に挿入されている。この状態において、プローブ１２１は、受け側コネクタ１１６に内部で接して導通する。加えて、プローブ１２１の外側は、受け側コネクタ１１６のセル部と接して導通する。
また、グラウンド接続端子１２２は、グラウンド接続用ランド１１８に接して導通する。
【００２７】
図７は、無線通信装置１１および差込側コネクタ１２の各部の、測定状態での接続関係の例を示す説明図である。図３の場合と異なり図７の例では、受け側コネクタ１１６に差込側コネクタ１２が挿入されることで、スイッチ部１１６ｂが開状態（切断状態）となっている。これにより、無線回路１１７は、アンテナ１１１や給電端子１１４や整合回路１１５と電気的に切断（絶縁）されている。
【００２８】
一方、プローブ１２１の中心とスイッチ部１１６ｂとが接して導通している。プローブ１２１の中心には同軸ケーブル１２４の内部導体が接続されており、無線回路１１７と同軸ケーブル１２４の内部導体とが電気的に接続される。
また、グラウンド接続端子１２２には、同軸ケーブル１２４の外部導体と、プローブ１２１の外側とが電気的に接続されている。グラウンド接続端子１２２がグラウンド接続用ランド１１８に接して導通することで、同軸ケーブル１２４の外部導体がグラウンドに接続される。また、グラウンド接続端子１２２がグラウンド接続用ランド１１８に接して導通し、さらに、プローブ１２１の外側がセル部１１６ａに接して導通することで、セル部１１６ａがグラウンドに接続される。セル部１１６ａがグラウンドに接続されることで、無線回路１１７の無線特性を高精度に測定することができる。
【００２９】
ここで、無線通信装置システム１との比較のために、ＲＦコネクタのセル部をグラウンドに常時接続する例について、図８〜図９を参照して説明する。
図８は、ＲＦコネクタのセル部がグラウンドに常時接続されている無線通信装置の内部の配置例を示す説明図である。同図において、無線通信装置１０１１は、アンテナ１１１１と、基板グラウンド部１１１２と、基板グラウンドなし部１１１３と、給電端子１１１４と、整合回路１１１５と、受け側コネクタ１１１６と、無線回路１１１７とを含んで構成される。受け側コネクタ１１１６は、ＲＦコネクタの受け側の例に該当する。
【００３０】
図９は、図８の配置を基板の上方から見た例を示す説明図である。図９において、図８に示す各部のうち、基板グラウンド部１１１２と、基板グラウンドなし部１１１３と、給電端子１１１４と、整合回路１１１５と、受け側コネクタ１１１６と、無線回路１１１７とが示されている。
【００３１】
図８や図９に示されるように、受け側コネクタ１１１６は、基板グラウンド部１１１２に設けられており、セル部がグラウンドに接続されている。ＲＦコネクタのセル部がグラウンドに接続されていることで、無線回路１１１７の無線特性を高精度に測定することができる。
但し、高周波電流が大きい場所であるアンテナ１１１１の給電点近くに、グラウンド接続された受け側コネクタ１１１６が配置されることで、受け側コネクタ１１１６に逆相の高周波電流が流れ、アンテナ１１１１のアンテナ特性が劣化してしまう。
かかるアンテナ特性の劣化を回避するために、アンテナ１１１１と無線回路１１１７とを離すことで、受け側コネクタ１１１６をアンテナ１１１１から離すことも考えられるが、通過ロスが増えてしまう。
【００３２】
これに対して、図１〜図７を参照して説明した無線通信装置システム１では、受け側コネクタ１１６のスイッチ部１１６ｂは、無線回路１１７と電気的に接続されている。また、スイッチ部１１６ｂは、差込側コネクタ１２を挿入されていない状態でアンテナ１１１と無線回路１１７とを電気的に接続し、差込側コネクタ１２を挿入された状態でアンテナ１１１と無線回路１１７とを電気的に切断する。また、受け側コネクタ１１６のセル部１１６ａは、無線回路１１７のグラウンドと電気的に分離して配置されている。
【００３３】
また、差込側コネクタ１２のプローブ１２１は、同軸ケーブル１２４に接続されている。そして、プローブ１２１は、受け側コネクタ１１６に挿入された状態で、スイッチ部１１６ｂに接して無線回路１１７と同軸ケーブル１２４とを電気的に接続し、かつ、スイッチ部１１６ｂの状態を、アンテナ１１１と無線回路１１７とを電気的に切断する状態にする。また、差込側コネクタ２１のグラウンド接続端子１２２は、プローブ１２１が受け側コネクタ１１６に挿入された状態で、無線回路１１７のグラウンドに接して当該グラウンドとセル部１１６ａとを電気的に接続する。
【００３４】
従って、無線通信装置システム１では、通信時には、アンテナ１１１に近接する受け側コネクタ１１６のセル部１１６ａを無線回路１１７のグラウンドと切り離すことができる。これにより、グラウンドの影響によるアンテナ特性の劣化を低減し、良好なアンテナ特性を確保することが可能となる。また、通過ロスの増加も生じない。
また、無線回路１１７の無線特性を測定する際は、受け側コネクタ１１６のセルと無線回路１１７のグラウンドとを差込側コネクタ１２で接続することができる。これにより、無線特性を高精度に測定することができる。
【００３５】
＜第２の実施形態＞
図１０は、本発明の第２の実施形態における差込側コネクタの外観の例を示す概略外形図である。
同図において、差込側コネクタ２２は、プローブ１２１と、グラウンド接続端子２２２と、コネクタ本体２２３とを含んで構成される。また、差込側コネクタ２２には、同軸ケーブル１２４が接続されている。なお、図１０において、図４の各部に対応して同様の機能を有する部分には同一の符号（１２１、１２４）を付している。
また、コネクタ本体２２３には溝２３３が設けられている。グラウンド接続端子２２２は、溝２３３を矢印Ｌ１１の方向に移動可能に設置されている。
なお、差込側コネクタ２２は、上述した無線通信装置１１に適用することも可能であるし、後述する無線通信装置３１に適用することも可能である。
【００３６】
以上のように、グラウンド接続端子２２２は、プローブ１２１との距離を可変に設けられている。
ここで、無線通信装置における基板の実装条件によって、グラウンド接続可能位置が異なることが考えられる。具体的には、受け側コネクタとグラウンド接続用ランドとの位置関係（特に距離）が異なり得る。
これに対して、差込側コネクタ２２では、プローブ１２１とグラウンド接続端子２２２を調節することで、受け側コネクタとグラウンド接続用ランドとの様々な位置関係に対応可能である。この点において、差込側コネクタ２２は、多機種の無線通信装置に対応することができる。
【００３７】
＜第３の実施形態＞
図１１は、本発明の第３の実施形態における無線通信装置３１の内部の配置を基板の上方から見た例を示す説明図である。同図において、無線通信装置３１は、基板グラウンド部１１２と、基板グラウンドなし部１１３と、給電端子１１４と、整合回路１１５と、受け側コネクタ１１６と、無線回路１１７と、グラウンド接続用ランド３１８とを含んで構成される。加えて、無線通信装置３１は、アンテナ（不図示）を含んで構成され、図１の場合と同様、実装状態において、当該アンテナは、給電端子１１４を介して基板グラウンドなし部１１３と電気的に接続している。
【００３８】
図１１の例は、グラウンド接続用ランド３１８が複数に分割されて配置されている点において図２の例と異なる。グラウンド接続用ランド３１８は、複数に分割され一部を無線回路１１７のグラウンド（すなわち、基板グラウンド部１１２のグラウンド）に電気的に接続されている。それ以外は、図２の場合と同様である。なお、図１１において、図２の各部に対応して同様の機能を有する部分には同一の符号（１１２〜１１７）を付している。
【００３９】
無線通信装置３１に対して、差込側コネクタ１２を適用することも可能であるし、差込側コネクタ２２を適用することも可能である。以下では、差込側コネクタ１２を無線通信装置３１に対して適用する場合を例に説明するが、差込側コネクタ１２を適用する場合も同様である。
【００４０】
図１２は、グラウンド接続用ランド３１８とグラウンド接続端子１２２との接触位置の例を示す説明図である。同図において、グラウンド接続用ランド３１８と、グラウンド接続端子１２２の先端部分の位置とが示されている。
図１２に示すように、グラウンド接続端子１２２が複数のグラウンド接続用ランド３１８にまたがって接することで、複数のグラウンド接続用ランド３１８が電気的に接続される。
【００４１】
ここで、グラウンド接続端子１２２が接するグラウンド接続用ランド３１８には、無線回路１１７のグラウンド（すなわち、基板グラウンド部１１２のグラウンド）に電気的に接続されたグラウンド接続用ランド３１８が含まれている。従って、グラウンド接続端子１２２が複数のグラウンド接続用ランド３１８にまたがって接することで、複数のグラウンド接続用ランド３１８がグラウンドに接続される。
【００４２】
グラウンド接続用ランドを一体的に構成した場合、グラウンド接続用ランドの面積などの条件によっては、プローブ１２１の外側とグラウンド接続端子１２２とを介してグラウンド接続しているセル部１１６ａが、インダクタンス成分を持ってしまう可能性がある。
そこで、図１１〜図１２に示す例のようにグラウンド接続用ランド３１８を複数に分割し、グラウンド接続端子１２２が接触することで、分離されたグラウンド接続用ランド３１８が繋がるようにする。その結果、セル部１１６ａは短い距離でグラウンドと接続し、インダクタンス成分を小さくすることが可能となる。これにより、無線回路１１７の無線特性をより高精度に測定することができる。
【００４３】
以上のように、グラウンド接続用ランド３１８は、複数に分割され一部を無線回路１１７のグラウンドに電気的に接続されている。そして、グラウンド接続端子１２２は、プローブ１２１が受け側コネクタ１１６に挿入された状態で、グラウンド接続用ランド３１８の、無線回路１１７のグラウンドに電気的に接続された部分を含む複数の部分に接する。
これにより、セル部１１６ａのインダクタンス成分を小さくすることができ、無線回路１１７の無線特性をより高精度に測定することができる。
【００４４】
次に、図１３を参照して本発明の最小構成について説明する。
図１３は、本発明の無線通信装置システムの最小構成を示す説明図である。同図において、無線通信装置システム４は、無線通信装置４１と、差込側コネクタ４２とを含んで構成される。無線通信装置４１は、アンテナ４１１と、受け側コネクタ４１６と、無線回路４１７とを含んで構成される。受け側コネクタ４１６は、セル部４１６ａと、スイッチ部４１６ｂとを含んで構成される。差込側コネクタ４２は、プローブ４２１とグラウンド接続端子４２２とを含んで構成される。
【００４５】
かかる構成において、スイッチ部４１６ｂは、無線回路４１７と電気的に接続されている。そして、スイッチ部４１６ｂは、差込側コネクタ４２を挿入されていない状態でアンテナ４１１と無線回路４１７とを電気的に接続し、差込側コネクタ４２を挿入された状態でアンテナ４１１と無線回路４１７とを電気的に切断する。また、セル部４１６ａは、無線回路４１７のグラウンドと電気的に分離して配置されている。
また、プローブ４２１は、同軸ケーブル１２４に接続されている。そして、プローブ４２１は、受け側コネクタ４１６に挿入された状態で、スイッチ部４１６ｂに接して無線回路４１７と同軸ケーブル４２４とを電気的に接続し、かつ、スイッチ部４１６ｂの状態を、アンテナ４１１と無線回路４１７とを電気的に切断する状態にする。また、グラウンド接続端子４２２は、プローブ４２１が受け側コネクタ４１６に挿入された状態で、無線回路４１７のグラウンドに接して当該グラウンドとセル部４１６ａとを電気的に接続する。
【００４６】
これにより、無線通信装置システム４では、上述した無線通信システム１と同様、通信時には、アンテナ４１１に近接する受け側コネクタ４１６のセル部４１６ａを無線回路１１７のグラウンドと切り離すことができる。かかる切り離しにより、グラウンドの影響によるアンテナ特性の劣化を低減し、良好なアンテナ特性を確保することが可能となる。また、通過ロスの増加も生じない。
また、無線回路４１７の無線特性を測定する際は、受け側コネクタ４１６のセルと無線回路４１７のグラウンドとを差込側コネクタ４２で接続することができる。これにより、無線特性を高精度に測定することができる。
【００４７】
以上、本発明の実施形態を図面を参照して詳述してきたが、具体的な構成はこの実施形態に限られるものではなく、この発明の要旨を逸脱しない範囲の設計変更等も含まれる。
【符号の説明】
【００４８】
１  無線通信装置システム
１１、３１  無線通信装置
１１１  アンテナ
１１２  基板グラウンド部
１１３  基板グラウンドなし部
１１４  給電端子
１１５  整合回路
１１６  受け側コネクタ
１１６ａ  セル部
１１６ｂ  スイッチ部
１１７  無線回路
１１８、３１８  グラウンド接続用ランド
１２、２２  差込側コネクタ
１２１  プローブ
１２２、２２２  グラウンド接続端子
１２３、２２３  コネクタ本体
１２４  同軸ケーブル
２３３  溝
【図１】
2015115853.tif 000003
【図２】
2015115853.tif 000004
【図３】
2015115853.tif 000005
【図４】
2015115853.tif 000006
【図５】
2015115853.tif 000007
【図６】
2015115853.tif 000008
【図７】
2015115853.tif 000009
【図８】
2015115853.tif 000010
【図９】
2015115853.tif 000011
【図１０】
2015115853.tif 000012
【図１１】
2015115853.tif 000013
【図１２】
2015115853.tif 000014
【図１３】
2015115853.tif 000015